(57)【特許請求の範囲】
【請求項１】
ランプを内蔵するランプハウスと、前記ランプハウスに接続され前記ランプを電源ラインと電気的に接続するランプソケット部とを含む顕微鏡用光源装置であって、
前記ランプソケット部に配置され、前記ランプへの電流をオン・オフするスイッチと、
前記ランプハウスに配置され、前記光源装置が装着される顕微鏡の照明用ポート部に前記光源装置を着脱可能にする着脱部と、
前記ポート部への前記顕微鏡用光源装置の着脱に際し、一端部が前記照明用ポート部と前記着脱部との着脱動作に連動し、他端部が前記スイッチを作動するように配置され、前記一端部が前記ポート部に当接しているか否かに対応して前記他端部が前記スイッチのオン・オフを行う着脱連動部材とを有することを特徴とする顕微鏡用光源装置。
【請求項２】
前記スイッチは、前記ランプの交換時に作用するインターロックスイッチと兼用されていることを特徴とする請求項１に記載の顕微鏡用光源装置。
【発明の詳細な説明】
【技術分野】
【０００１】
本発明は、顕微鏡等の照明装置のポート部に着脱可能な顕微鏡用光源装置に関する。
【背景技術】
【０００２】
従来、顕微鏡の照明装置に装着する光源装置は、ハロゲンランプや水銀ランプなど種々の光源装置を選択使用するため、照明装置のポート部に種々の光源装置が着脱できるように構成されている。そして、光源装置の交換の際に、光源装置からランプ光が外部に漏れないようにするため、ポート部に対向する位置に配置されたホール素子やマイクロスイッチによりランプへの電源供給を停止することが提案されている（例えば、特許文献１参照）。
【特許文献１】特開平１０−３３３０４５号公報
【発明の開示】
【発明が解決しようとする課題】
【０００３】
従来の光源装置では、光源装置の交換の際に、光源装置からランプ光が外部に漏れないようにするため、ポート部に対向する位置に専用のホール素子やマイクロスイッチ等の電気回路を別途配置しているため、耐使用温度が限られると共に、制御回路等が高価になると言う問題がある。
【課題を解決するための手段】
【０００４】
上記課題を解決するため、本発明は、ランプを内蔵するランプハウスと、前記ランプハウスに接続され前記ランプを電源ラインと電気的に接続するランプソケット部とを含む顕微鏡用光源装置であって、前記ランプソケット部に配置され、前記ランプへの電流をオン・オフするスイッチと、前記ランプハウスに配置され、前記光源装置が装着される顕微鏡の照明用ポート部に前記光源装置を着脱可能にする着脱部と、前記ポート部への前記顕微鏡用光源装置の着脱に際し、一端部が前記照明用ポート部と前記着脱部との着脱動作に連動し、他端部が前記スイッチを作動するように配置され、前記一端部が前記ポート部に当接しているか否かに対応して前記他端部が前記スイッチのオン・オフを行う着脱連動部材とを有することを特徴とする顕微鏡用光源装置を提供する。
【発明の効果】
【０００６】
本発明によれば、簡便、かつ安価な構成で、光源装置交換時にランプ光が外部に漏れることを防止できる光源装置を提供することができる。
【発明を実施するための最良の形態】
【０００７】
本発明の実施の形態にかかる光源装置について図面を参照しつつ説明する。
【０００８】
（第１実施の形態）
図１は、第１実施の形態にかかる光源装置の断面図を示し、（ａ）は照明装置のポート部に装着された状態を、（ｂ）は照明装置のポート部から外された状態をそれぞれ示している。
【０００９】
図１（ａ）、（ｂ）において、光源装置１は、ランプハウス３とランプソケット部４よりなり、ランプソケット部４は取り付けねじ５によりランプハウス３にねじ締め固定されている。ソケット部４に固設された絶縁部材６には２つのランプ端子７ａ、７ｂが取り付けられ、ランプ８はこのランプ端子７ａ，７ｂに保持されている。ランプ端子７ａからはケーブル９ａがインターロックスイッチ１０の一方の端子に接続され、インターロックスイッチ１０の他方の端子にはケーブル９ｂが接続されている。ランプ端子７ｂに接続されたケーブル９ｃはケーブル９ｃと共にコネクタ９により不図示の電源装置に接続される。
【００１０】
またランプハウス３には、不図示の顕微鏡照明装置の照明用接続ポート部２（以後、接続ポート部と記す）と接続されるフランジ部３ａと、接続ポート部２の外径部に形成されたねじ部２ａに螺合するねじ部３ｂを有する接続リング３ｃとを有している。
【００１１】
また、ランプハウス３は、接続リング３ｃによりランプハウス３のフランジ部３ａが接続ポート部２に押し付けられると共にフランジ部３ａが接続ポート部２に嵌合し位置決め固定される。
【００１２】
また、ランプハウス３の内部には、光源装置着脱連動部材１２（以後、着脱連動部材と記す）が、照明光軸Ｉに略平行な方向に移動可能に保持されると共に断面が略Ｌ字状部１２ａが形成され、不図示のコイルばねにより接続ポート部２側に付勢されている。このようにして、光源装置１が構成されている。
【００１３】
第１実施の形態にかかる光源装置１では、図１（ａ）に示すように、光源装置１が接続ポート部２に接続固定されているとき、着脱連動部材１２の一端部１２ｂが、フランジ部３ａ貫通して接続ポート部２の端面に当接し、他の一端部１２ｃがインターロックスイッチ１０のアクチュエータ１０ａを押圧するように配置されている。この結果、光源装置１が接続ポート部２に接続されているときには、着脱連動部材１２がインターロックスイッチ１０のアクチュエータ１０ａを押し下げ、インターロックスイッチ１０をオン状態にしてランプ８が点灯する。
【００１４】
一方、図１（ｂ）に示すように、光源装置１が接続ポート部２から取り外されると、着脱連動部材１２は接続ポート部２側へ付勢されているので、ランプハウス３内で断面略Ｌ字状部１２ａがランプハウス３の内壁に突き当たるまで移動し、フランジ部３ａから接続ポート部２側に突出すると同時に、着脱連動部材１２の他の一端部１２ｃがインターロックスイッチ１０のアクチュエータ１０ａへの押圧を解除するため、インターロックスイッチ１０が切れてランプ８が消灯する。
【００１５】
以上述べたように、第１実施の形態にかかる光源装置１は、ばねで付勢された着脱連動部材１２を有することにより、光源装置１を顕微鏡等の照明装置の接続ポート部２から取り外した際に、インターロックスイッチ１０がオフとなりランプ８が消灯するため、ランプ光を外部に照射することを防止することができる。
【００１６】
また、インターロックスイッチ１０は、ランプソケット部４の着脱検出に使用されるスイッチを兼用しているので、着脱専用のスイッチや制御回路をを増設する必要がないため低価格で構成することができる。
【００１７】
また、棒状部材を移動させて機械的にインターロックスイッチをオン・オフする機構なので、機構が簡単で高温まで使用することが可能である。
【００１８】
なお、上記説明では、接続ポート部２のフランジ部３ａに当接する面に光源装置着脱連動部材１２の一端部１２ｂが当接する場合について説明したが、一端部１２ｂが当接する突起部材を接続ポート部２の外周部に配置し、ここに光源装置着脱連動部材１２の一端部１２が当接するようにしてもよい。また、光源装置着脱連動部材１２は、棒状部材に限定されることはなく、例えば板状であってもよい。
【００１９】
（第２実施の形態）
次に、本発明の第２実施の形態にかかる光源装置について図面を参照しつつ説明する。
【００２０】
図２は、第２実施の形態にかかる光源装置の断面を示し、（ａ）は光源装置接続ポート部から取り外されている場合を、（ｂ）は、光源装置接続ポート部に接続されている場合をそれぞれ示す。なお、第１実施の形態と同様の部材には同じ符号を付して説明する。
【００２１】
図２（ａ）、（ｂ）において、光源装置５１はランプハウス３とランプソケット部４より成り、ランプソケット部４は取り付けねじ５によりランプハウス３に固定されている。ランプソケット部４に固設された絶縁部材６にはふたつのランプ端子７ａ、７ｂが取り付けられ、ランプ８は前記ランプ端子７ａ、７ｂに保持されている。ランプ端子７ａからはケーブル９ａがインターロックスイッチ１０の一方の端子に接続され、インターロックスイッチ１０のもう一方の端子にはケーブル９ｂが接続されている。ランプ端子７ｂに接続されたケーブル９ｃは、ケーブル９ｂとともにコネクタ９により不図示の電源装置に接続される。
【００２２】
ランプソケット部４はランプハウス３に密着するように取り付けられているため、インターロックスイッチ１０のアクチュエータ（レバー）１０ａは押し下げられランプ８に電流が流れ点灯する。
【００２３】
また、ランプハウス３には、不図示の顕微鏡照明装置の光源装置接続ポート部２２（以後、接続ポート部と記す）の角溝２２ａに係合して、ランプハウス３を接続ポート部２２に装着する係合部２３が設けられている。この係合部２３の端部には、集光レンズ２５を有する開口部２６から射出されるランプ光を遮光するシャッター２４を、図２（ａ）紙面上下方向にスライド可能に支持する溝部２３ａが設けられている。溝部２３ａに係合されたシャッター２４は、ランプハウス３が接続ポート２２に非装着時に開口部２６を覆うように不図示のばねにより図２（ａ）の紙面下方に付勢され、溝部２３ａから脱落しないように制限ピン２７で止められている。このようにして第２実施の形態にかかる光源装置５１が構成されている。
【００２４】
また、接続ポート部２２の角溝２２ａには、ランプハウス３をスライドさせながら装着するとき、シャッター２４の端部に引っかかり、シャッター２４をスライドさせて開口部２６から退避させるシャッター開放ピン２８が設けられている。
【００２５】
第２実施の形態にかかる光源装置５１は、図２（ａ）に示すように、光源装置５１を交換するために光源装置５１を角溝２２ａに沿って上方にスライドさせ接続ポート部２２より外す際、シャッター２４は不図示のコイルばねにより開口部２６を塞ぐ方向に付勢されているので、ランプハウス３に植設された制限ピン２６に当たるまで移動して光路を遮断し、ランプ光が光源装置５１から外部に出射することを防止することができる。
【００２６】
また、図２（ｂ）に示すように、ランプハウス３が接続ポート部２２にスライドしながら装着され、所定位置に位置付けされたとき、シャッター開放ピン２８によりシャッター２４は、開口部２６の上方に退避させられ（図２（ｂ）紙面の上方）、照明装置の光路にランプ光を射出することが可能になる。
【００２７】
以上述べたように、第２実施の形態にかかる光源装置５１では、光源装置５１を接続ポート部２２から取り外した時、シャッター２４が光源装置５１の開口部２６を塞いでランプ光が外部に漏れないようにすることができる。
【００２８】
また、ランプ８を点灯したままで光源装置５１を交換することができるため、水銀ランプのように点灯してから安定するまでに時間がかかる光源を有する光源装置の交換も安定性を損なうことなく実行することができる。
【００２９】
また、ランプ８を消灯するための特別な電気回路が不要であり低価格を達成することができる。
【００３０】
また、シャッター２４の開閉は、ランプハウス３の着脱時のスライド時にばねの付勢力によって自動的に行われるため、機構的に簡単な構成で実現できる。
【００３１】
なお、上記第１実施の形態、第２実施の形態において、ランプ８を交換する場合には、ランプソケット部５の取り付けねじ５を緩め、ランプソケット部４を取り外すと、インターロックスイッチ１０が切れランプは消灯する。
【００３２】
また、接続ポート部には、光導波路（例えば、光ファイバー）の端部を配置することも可能である。
【００３３】
なお、上述の実施の形態は例に過ぎず、上述の構成や形状に限定されるものではなく、本発明の範囲内において適宜修正、変更が可能である。
【図面の簡単な説明】
【００３４】
【図１】第１実施の形態にかかる光源装置の断面図を示し、（ａ）は照明装置のポート部に装着された状態を、（ｂ）は照明装置のポート部から外された状態をそれぞれ示す。
【図２】第２実施の形態にかかる光源装置の断面を示し、（ａ）は光源装置接続ポート部から取り外されている場合を、（ｂ）は、光源装置接続ポート部に接続されている場合をそれぞれ示す。
【符号の説明】
【００３５】
１、５１    光源装置
２、２２    顕微鏡装置接続ポート部
３      ランプハウス
４      ランプソケット
５      取り付けねじ
６      絶縁部材
７      ランプ端子
８      ランプ
９      コネクタ
１０    インターロックスイッチ
１０ａ  アクチュエータ（レバー）
１２    光源装置着脱連動部材
２３    係合部
２４    シャッター
２５    集光レンズ
２６    開口部
２７    制限ピン
２８    シャッター開放ピン
【図１】
0004992583.tif 000002
【図２】
0004992583.tif 000003